(57)【要約】【課題】綴じ合わせ目のないセーターなどの編み上げが可能で、持ち運び自在な手編み器を提供する。【解決手段】所定の間隔で配置された複数の柱状体と、該柱状体の長手方向略中心位置に穿設された穴部を挿通し前記柱状体を連結する紐体と、該紐体を介し前記複数の柱状体を所定の間隔に支持するスペーサーと、前記複数の柱状体の中央位置に直行して配置され該複数の柱状体を湾曲可能に連結する帯体とから構成される手編み器を用い、手編み器をリング状に形成することなく綴じ合わせ目のないセーターなどを編み上げる。【選択図】        図１
2007217843.tif 000002
【特許請求の範囲】
【請求項１】
所定の間隔で配置された複数の柱状体と、該柱状体の長手方向略中心位置に穿設された穴部を挿通し前記柱状体を連結する紐体と、該紐体を介し前記複数の柱状体を所定の間隔に支持するスペーサーと、前記複数の柱状体の中央位置に直行して配置され該複数の柱状体を湾曲可能に連結する帯体とから構成される手編み器。
【請求項２】
前記柱状体の軸方向表面には、複数の糸返し用溝部が斜めに刻設されていることを特徴とする請求項１記載の手編み器。
【請求項３】
前記複数の柱状体を所定の間隔に支持するスペーサーは、前記手編み器の中央部においてはバネ部材、その他部においてはビーズ等の球状体からなり、前記帯体の湾曲に伴い手編み器の中央部を中心に湾曲可能に連結されていることを特徴とする請求項１記載の手編み器。
【発明の詳細な説明】
【技術分野】
【０００１】
本発明は、手編み器に関するものである。
【背景技術】
【０００２】
従来より毛糸を使用した編み物は、専用の機械を用いるか、編み棒や鉤針などによる手編みによってそのほとんどが作製されている。とくに戸外において手編みをする際には、ショルダーバッグや手提げ袋等に収納して持ち運びできる編み棒や鉤針が利用されている。
【０００３】
しかしながら、持ち運びができる上記従来の手編み器の場合、毛糸の太さに応じた編み棒を予め用意する必要があった。また綴じ合わせ目の無いセーター等を作製したり、異なる色の毛糸を使用して色別の縞模様を形成することができなかった。
【０００４】
そこで、本発明者は丸棒状の編み棒多数を可撓性の連結桿で直線状に連結して、手編み器本体のユニットとなし、該ユニットを適宜連結して支持具に挟持させて使用できる手編み器を提案した（特許文献１参照。）。また、可撓材で成形されたスリーブ状の基体と、該基体の少なくとも一方の端部に所定感覚で複数形成された突起群と、を有する手編み器も提案されている（特許文献２参照。）。
【０００５】
【特許文献１】特開平７−１８９０８９号公報
【特許文献２】特開２００２−３４８７５９号公報
【発明の開示】
【発明が解決しようとする課題】
【０００６】
しかしながら、上記特許文献１に提案した手編み器の場合、毛糸の太さに応じた編み棒を用意せずに、複数の色の毛糸を使用して色別による縞の形成や織り柄の作製を可能とするが、綴じ合わせ目の無いセーター等を作製するためには手編み器本体ユニットをリング状に形成する必要があり、ユニットが大きくなり持ち運びには不向きなものとなるという問題点があった。
【０００７】
また、上記特許文献２に提案されている型手編み器の場合、スリーブが予めリング状に形成されており筒状の編み物の作製に適するが、マフラーや帽子等小さなサイズの物には有効であるものの、セーター等のサイズの大きなものを作製する場合には持ち運びには不向きであるという欠点があった。
【０００８】
本発明は、上記の問題点に鑑みなされたもので、綴じ合わせ目の無いセーター等を作製することが可能で、複数の色の毛糸による色別の縞模様や織り柄の作製も可能となり、持ち運び性に優れる手編み器を提供するものである。
【課題を解決するための手段】
【０００９】
このため本発明の手編み器は、所定の間隔で配置された複数の柱状体と、該柱状体の長手方向略中心位置に穿設された穴部を挿通し前記柱状体を連結する紐体と、該紐体を介し前記複数の柱状体を所定の間隔に支持するスペーサーと、前記複数の柱状体の中央位置に直行して配置され該複数の柱状体を湾曲可能に連結する帯体とから構成される手編み器本体と、該手編み器本体に糸材を供給する糸調節具とからなることを第１の特徴とする。
【００１０】
また、前記柱状体の軸方向表面には、複数の糸返し用溝部が斜めに刻設されていることを第２の特徴とする。
【００１１】
そして、前記複数の柱状体を所定の間隔に支持するスペーサーは、前記手編み器の中央部においてはバネ部材、その他部においてはビーズ等の球状体からなり、前記帯体の湾曲に伴い手編み器の中央部を中心に湾曲可能に連結されていることを第３の特徴とする。
【発明の効果】
【００１２】
本発明に係る手編み器によれば、紐体を中心に上下位置となる柱状体に所定の回数糸材を交互に掛けて編むことにより、手編み器をリング状に形成することなく綴じ合わせ目の無いセーター等を製作できるという優れた効果を有する。
【００１３】
また、前記柱状体の軸方向表面には、複数の糸返し用溝部が斜めに刻設されているため、編み棒などによって糸材を柱状体にからめて折り返す作業がし易いという効果を有する。
【００１４】
そして、複数の柱状体を湾曲可能に連結する帯体によって連結され、しかも中央部のスペーサーはバネ部材により構成されているため、手編み器本体を湾曲させることが可能であり、編み物を製作中であっても持ち運び可能であるという優れた効果を有する。
【発明を実施するための最良の形態】
【００１５】
以下、本発明を実施するための最良の形態を図面に示す実施例に基づいて説明するが、本発明が本実施例に限定されないことは言うまでもない。図１は本発明に係る手編み器の一実施例を示す説明図、図２は本発明に係る糸調節具の斜視図、図３は本発明の手編み器の使用説明図、図４は図３の部分拡大説明図、図５は筒状に編む際の説明図である。尚、図１ａは手編み器の平面説明図、図１ｂは手編み器の正面説明図である。
【実施例】
【００１６】
図１ａ、１ｂに示すように、本発明による手編み器１は複数の円柱体２と、円柱体２の中央部に穿設された挿通孔３を挿通する紐体４と、円柱体２に挟持されて紐体４を挿通し、円柱体４同士を所定の間隔に保持する複数のスペーサー５と、複数の円柱体４の中央位置に直交して配置され、円柱体４を連結する帯体６から構成され、後述する糸調節具１０を用いて使用される。
【００１７】
円柱体２は、長さ５０ｍｍ、直径６ｍｍで木材、アルミ、若しくはプラスチックから形成され所定の本数にて平行に配置されている。円柱体４の中央部には紐体４を挿通可能な挿通穴３が穿設され、軸方向表面には後述する糸材の返し作業に使用される斜めの溝部２１が円周に沿って複数刻設されている。また紐体４は合成樹脂製の紐材或いはピアノ線等が使用され、円柱体４の挿通孔３を挿通し、両端部の円柱体４に固着される。そしてスペーサー５は手編み器１の中央部においては金属若しくはプラスチック製のバネが使用され、他の部分においては金属若しくはプラスチック製の球形で中央に紐体４を挿通する孔が形成されたビーズが使用され、円柱体２に挟まれて紐体４によって挿通されて連結されている。さらに複数の円柱体２が連結された手編み器１の中央部には円柱体２と直交して帯体６が貼着され、手編み器１を湾曲可能とし持ち運び自在とする。尚、帯体６は可撓性を有し寸法精度が安定する金属若しくはプラスチックが使用され、帯体６と円柱体２との貼着は接着剤による接着や、プラスチックの溶着、金属の溶接、合成樹脂製の紐体による巻着等が適宜選択される。
【００１８】
糸調節具１０は、図２に示すようにプラスチック製の基材８の表面に２本のプラスチック製の中空の円筒体９が、所定の間隔で直列に貼着されており、円筒体９の一方の端部は基材８の端部に沿って貼着され、他方の円筒体９はその中央部が基材８の他方の端部位置となるように貼着されており、毛糸等の糸材２２が挿通され、直列する円筒体９の間隔部において利用者の指で糸材の出没の調整が可能となる。しかも円筒体９は複数平行して配置可能であり、複数の糸材２２を同時に挿通して使用できる。
【００１９】
上記の構成からなる本発明の手編み器１は、糸調節具１０を使用して糸材２２に一定の張力をかけた状態で編み進め、複数の円柱体２の一方側のみで編み上げると平らな編み物を作製することができ、また円柱体２の両側（図１の上下側）を使用して編み上げると筒状の編み物が作成できる。すなわち綴じ合わせ目の無いセーター等が作製できる。また、糸調節具１０を使用して同時に複数の糸材２２（色違いを含む）を供給することが可能であり、多用な織り柄や色使いも可能となる。しかもスペーサー５によって一定の間隔が保持されており編み目が整うため美しい仕上がりの編み物となる。尚、本手編み器１は糸調節具１０を使用せずに手で編み上げることも可能であり、毛糸の返し作業においては市販の糸返し用針も利用される。
【００２０】
さらに、手編み器１は軽量な木材、アルミ、プラスチック等の材料を使用しており、しかも湾曲可能に連結されているため、持ち運び自在であり、ショルダーバッグや手提げ袋等に収納して持ち運ぶことによってどこでも編み物ができる。
【００２１】
次に図３〜図５により、本発明の手編み器の使用例を説明する。尚、本実施例においては筒状の編み物を例として説明する。
【００２２】
まず手編み器１と、毛糸等の糸材２２、糸調節具１０を準備し、糸材２２を糸調節具１０の円筒体９に挿通する。尚、本実施例においては２種類（２色）の糸材２２ａ、２２ｂを使用する。それぞれの糸材２２ａ、２２ｂを手編み器１の開始位置Ａにて結び目を作り、円柱体２の前後を挟みながら相互に掛け、予め設計した寸法に対応する円柱体４の本数の位置（図３右方向へ）まで進める。次に糸材２２ａ、２２ｂを円柱体４の後側（図３裏側）にて縦下方向に交差させ、紐体４を中心とする円柱体４の下側の位置から上記と同様に円柱体２を挟みながら左方向へ相互に掛けていく。これによって上下の１段目となる。そして上記Ａの位置と対応する円柱体４の下側から再度糸材２２ａ、２２ｂを円柱体４の後側（図３裏側）にて縦上方向に交差させ、上記した作業を上下で行ない、上下の２段目が形成される。
【００２３】
上記の作業の後、図４に示すように、１段目の糸材２２１を２段目の糸材２２２と絡めるように円柱体２左側へ全て返し、上記と同様に３段目を形成させる。以下同様の作業により予め設計した寸法まで段数を重ねることによって、図５に示すように筒状の編み物を編むことができる。ここで糸材の返し作業においては市販の糸返し針を使用し、円柱体２の表面の溝部２１に沿って糸返しが容易に行なうことができる。しかも、糸調節具１０を使用すれば２個の円筒体９の間を指で糸材の張力を調節して糸材を供給することが可能となり、編み物の目が揃いやすく、見た目にも美しい仕上がりとなる。また複数の糸材を同時に供給可能できるため多用な織り柄や色使いの編み物を作製できる。
【００２４】
以上の工程で仕上がった編み物は、手編み器１から外して裏返して完成となる。尚、本実施例においては筒状のメリヤス編みによる編み物を例として説明したが、他の編み方（例えばループ状やタスキ掛け状の編み方）であっても良く、また手編み器１の上側或いは下側の円柱体２のみを使用することによって平面状の編み物を作ることも可能である。さらに糸調節具１０を使用せず指を使った編み上げ作業も当然可能であり、作製する編み物によって適宜選択して使用される。
【００２５】
以上、本発明による手編み器によれば、紐体を中心に上下位置となる複数の柱状体に毛糸等の糸材を交互に掛けて編む上げることにより、手編み器をリング状に形成せずに綴じ合わせ目の無いセーター等を製作できる。
【００２６】
しかも、複数の柱状体を湾曲可能に連結する帯体によって連結されているため、手編み器本体を湾曲させることが可能であり、編み物を製作中であっても持ち運び可能である。
【図面の簡単な説明】
【００２７】
【図１】本発明に係る手編み器の一実施例を示す説明図である。
【図２】本発明に係る糸調節具の斜視図である。
【図３】本発明に係る手編み器の使用説明図である。
【図４】図３の部分拡大説明図である。
【図５】本発明に係る手編み器を使用し筒状に編む際の説明図である。
【符号の説明】
【００２８】
１                  手編み器
２                  円柱体
３                  挿通孔
４                  紐体
５                  スペーサー
６                  帯体
７                  手編み器本体
８                  基材
９                  円筒体
１０                  糸調節具
２１                  溝部
２２、２２ａ、２２ｂ  糸材
２２１                 １段目の糸材
２２２                 ２段目の糸材
【図１】
2007217843.tif 000003
【図２】
2007217843.tif 000004
【図３】
2007217843.tif 000005
【図４】
2007217843.tif 000006
【図５】
2007217843.tif 000007